(57)【特許請求の範囲】
【請求項１】
本体内に内装され電話機能や電子メール機能等を実現する電子回路基板と、モジュール化され本体内で電波を送受信するアンテナ部とが、該アンテナ部に一体的に設けられた略コ字状を呈した爪部と、前記電子回路基板縁部に凹設され該爪部と係合する被掛止部とを備えてなる嵌着手段を介して着脱可能に接続されており、
前記アンテナ部は、
アンテナ素子と、
前記アンテナ素子に接続されてインピーダンス整合をとる整合回路が実装された基板である整合回路部と、
前記電子回路基板上に設置され、前記整合回路部が取り付けられるとともに前記アンテナ素子が表面に固定されたベース部と、
前記ベース部に取り付けられた前記整合回路部と前記電子回路基板上に設けられた給電部とを電気的に接続する接続手段とを備えていることを特徴とする携帯電話機。
【請求項２】
前記ベース部は、前記爪部が設けられ前記電子回路基板上に設置される設置面と該設置面縁部から立設され筒体が延出された立上げ面と該立上げ面頂部から突設された天井面とで側面視略クランク状に一体成形されており、
前記アンテナ素子は、前記筒体外周面に巻回されていることを特徴とする請求項１記載の携帯電話機。
【請求項３】
前記立上げ面からは、複数の前記筒体が延出しており、夫々の筒体外周面に異なる送受信帯に適した所定長さで前記アンテナ素子が巻回されており、
前記整合回路部は、夫々のアンテナ素子と接続されていることを特徴とする請求項２記載の携帯電話機。
【請求項４】
前記接続手段は、凸字状を呈した棒状の接触子と、該接触子の大径部をスライド可能に案内すると共に該大径部を弾発付勢させる圧縮ばねが内装された筒部とで、該接触子小径部を該筒部から出没可能に構成したプローブであり、前記電子回路基板と前記アンテナ部との接続と同時に該接触子が前記給電部に圧接接合されるように構成されていることを特徴とする請求項１から３のいずれか１項記載の携帯電話機。
【請求項５】
前記ベース部は、前記電子回路基板上に設置され該整合回路部を挿脱可能にする係合部と前記爪部とが設けられると共に帯板状に形成された前記アンテナ素子の表面が露出するように該アンテナ素子が埋設されていることを特徴とする請求項１記載の携帯電話機。
【請求項６】
前記係合部は、該整合回路部の両端部を案内し該両端部下面を支持する底面部を設けた溝部を前記ベース部側面に設けて該溝部間に前記整合回路部の素子側側面中途部が露出するように形成され、前記アンテナ素子は、該ベース部上面と該溝部間側面とに亘って表面が露出するように埋設されると共に該整合回路部下部を挟持し該整合回路部との接続が行われる挟持部を該溝部間下部に位置するように突出形成されてなることを特徴とする請求項５記載の携帯電話機。
【請求項７】
前記アンテナ素子は、該ベース部上面と該溝部間側面とに亘って表面が露出するように複数のアンテナ素子が異なる送受信帯に適した所定長さで埋設されると共に、前記整合回路部は、夫々のアンテナ素子と接続されていることを特徴とする請求項５又は６記載の携帯電話機。
【請求項８】
前記接続手段は、前記整合回路部に設けられたコネクタと前記電子回路基板に設けられ前記給電部を構成するコネクタとを接続する同軸ケーブルであることを特徴とする請求項５から７のいずれか１項に記載の携帯電話機。
【請求項９】
前記接続手段は、凸字状を呈した棒状の接触子と、該接触子の大径部をスライド可能に案内すると共に該大径部を弾発付勢させる圧縮ばねが内装された筒部とで、該接触子小径部を該筒部から出没可能に構成されたプローブであり、
当該プローブは、前記ベース部の前記電子回路基板と対向する面から垂設され、前記電子回路基板と前記アンテナ部との接続と同時に該接触子が前記給電部に圧接接合されるように構成されていることを特徴とする請求項５から７のいずれか１項記載の携帯電話機。
【請求項１０】
前記ベース部と前記アンテナ素子とがインサート成形で形成されていることを特徴とする請求項８又は９記載の携帯電話機。
【請求項１１】
通信機能を実現する電子回路基板と、電波を送受信するためのモジュール化されたアンテナ部とが、該アンテナ部に一体的に設けられた略コ字状を呈した爪部と、前記電子回路基板縁部に凹設され該爪部と係合する被掛止部とを備えてなる嵌着手段を介して着脱可能に接続されており、
前記アンテナ部は、
アンテナ素子と、
前記アンテナ素子に接続されてインピーダンス整合をとる整合回路が実装された基板である整合回路部と、
前記電子回路基板上に設置され、前記整合回路部が取り付けられるとともに前記アンテナ素子が表面に固定されたベース部と、
前記ベース部に取り付けられた前記整合回路部と前記電子回路基板上に設けられた給電部とを電気的に接続する接続手段とを備えていることを特徴とするアンテナ装置。
【請求項１２】
前記ベース部は、前記爪部が設けられ前記電子回路基板上に設置される設置面と該設置面縁部から立設され筒体が延出された立上げ面と該立上げ面頂部から突設された天井面とで側面視略クランク状に一体成形されており、
前記アンテナ素子は、前記筒体外周面に巻回されていることを特徴とする請求項１１記載のアンテナ装置。
【請求項１３】
前記立上げ面からは、複数の筒体が延出しており、夫々の筒体外周面に異なる送受信帯に適した所定長さで前記アンテナ素子が巻回されており、
前記整合回路部は、夫々のアンテナ素子と接続されていることを特徴とする請求項１２記載のアンテナ装置。
【請求項１４】
前記接続手段は、凸字状を呈した棒状の接触子と、該接触子の大径部をスライド可能に案内すると共に該大径部を弾発付勢させる圧縮ばねが内装された筒部とで、該接触子小径部を該筒部から出没可能に構成したプローブであり、前記電子回路基板と前記アンテナ部との接続と同時に該接触子が前記給電部に圧接接合されるように構成されていることを特徴とする請求項１１から１３のいずれか１項記載のアンテナ装置。
【請求項１５】
前記ベース部は、前記電子回路基板上に設置され該整合回路部を挿脱可能にする係合部と前記爪部とが設けられると共に帯板状に形成された前記アンテナ素子の表面が露出するように該アンテナ素子が埋設されていることを特徴とする請求項１１記載のアンテナ装置。
【請求項１６】
前記係合部は、該整合回路部の両端部を案内し該両端部下面を支持する底面部を設けた溝部を前記ベース部側面に設けて該溝部間に前記整合回路部の素子側側面中途部が露出するように形成され、前記アンテナ素子は、該ベース部上面と該溝部間側面とに亘って表面が露出するように埋設されると共に該整合回路部下部を挟持し該整合回路部との接続が行われる挟持部を該溝部間下部に位置するように突出形成されてなることを特徴とする請求項１５記載のアンテナ装置。
【請求項１７】
前記アンテナ素子は、該ベース部上面と該溝部間側面とに亘って表面が露出するように複数のアンテナ素子が異なる送受信帯に適した所定長さで埋設されると共に、前記整合回路部は、夫々のアンテナ素子と接続されていることを特徴とする請求項１５又は１６記載のアンテナ装置。
【請求項１８】
前記接続手段は、前記整合回路部に設けられたコネクタと前記電子回路基板に設けられ前記給電部を構成するコネクタとを接続する同軸ケーブルであることを特徴とする請求項１５から１７のいずれか１項に記載のアンテナ装置。
【請求項１９】
前記接続手段は、凸字状を呈した棒状の接触子と、該接触子の大径部をスライド可能に案内すると共に該大径部を弾発付勢させる圧縮ばねが内装された筒部とで、該接触子小径部を該筒部から出没可能に構成されたプローブであり、
当該プローブは、前記ベース部の前記電子回路基板と対向する面から垂設され、前記電子回路基板と前記アンテナ部との接続と同時に該接触子が前記給電部に圧接接合されるように構成されていることを特徴とする請求項１５から１７のいずれか１項記載のアンテナ装置。
【請求項２０】
前記ベース部と前記アンテナ素子とがインサート成形で形成されていることを特徴とする請求項１８又は１９記載のアンテナ装置。
【請求項２１】
請求項１１から２０のいずれか１項に記載のアンテナ装置を筐体内部に備えた移動通信端末。
【発明の詳細な説明】
【０００１】
【発明の属する技術分野】
本発明は、携帯電話機、アンテナ装置及びこれを用いた移動通信端末に関し、さらに詳しくは、内蔵型アンテナを有した携帯電話機のアンテナ部やアンテナ装置の改良に関する。
【０００２】
【従来の技術】
（１）技術的背景
移動通信端末（例えば、携帯電話機）のアンテナは、電波放射特性確保の観点から電話機本体よりロッドを引き出して突出させるタイプが一般的である。
ところで、今日のように携帯電話機の小型・軽量化、また、データ通信利用が普及してくると、他の製品と差別化を図る必要があり、特に、意匠設計の役割は特に重要となる。携帯電話機としての機能はもちろんのこと、優れた外観デザインはその商品価値を大きく左右するといっても過言ではない。
【０００３】
しかしながら、上記した突出型アンテナでは自由な意匠設計を阻害することになり、しかも、本体より突出させて使用するため、人や物にアンテナをぶつけて折り曲げてしまう事故が多発している。
【０００４】
このように旧来においては、突出型アンテナ一辺倒だったのが、昨今、電波放射特性を十分確保した内蔵型のアンテナを有した携帯電話機が出現してきた。この携帯電話機は、アンテナを本体より突出させる必要がないことから使い勝手が良く、当然アンテナを折り曲げてしまう心配もない。また、自由度の高い意匠設計が行え、魅力ある外観デザインの携帯電話機が提供できるメリットを有する。
【０００５】
（２）従来技術
このような意匠設計上有利であると共に利便性に優れたアンテナ内蔵型携帯電話機ではあるが、しかしながら、本体内で電波を送受信するアンテナ部は、電話機能や電子メール機能等を実現する電子回路基板に、いわゆるはんだ付けによって固着されている。
【０００６】
携帯電話機は、その携帯性に優れている反面、その気軽さゆえに誤って落としてしまう落下事故が多発しており、その際に質量の少ない半導体デバイスは電子回路基板からの剥離脱落する場合は少ないが、ある程度質量の大きいアンテナ部は電子回路基板から剥離脱落する場合が往々にしてあり、その解決策を講じる必要がある。また、はんだによる固着手段では、製造時においても剥離の問題や固着するまでのタイムラグによる位置ずれの問題がある。
【０００７】
この後者の製造時の剥離問題と位置ずれ問題とに着目して解決を試みたものとして特開２００１−１５６５１３号公報に開示された「チップ状アンテナ取付構造」がある。また、逆Ｆ形アンテナなどのパッチアンテナの組み立て時間を短縮しアンテナ性能の安定化を図ったものとして、特開平９−８５２６号公報に開示された「携帯電話機の内蔵アンテナ構造及び製造方法」がある。
【０００８】
前者の特開２００１−１５６５１３号公報に開示された「チップ状アンテナ取付構造」は、上面が開口されると共に開口端部にチップ状アンテナの抜けを防止する突起を設けた断面視コ字状の箱体が高周波回路基板に螺合され、開口部にチップ状アンテナを押し込むことでチップ状アンテナが箱体に嵌着すると同時に箱体底部に設けられたスプリングコネクタによって高周波回路基板とチップ状アンテナとが電気的に接続するようになっている。
【０００９】
後者の特開平９−８５２６号公報に開示された「携帯電話機の内蔵アンテナ構造及び製造方法」は、電子回路が内装されアンテナの地盤としても機能するシールドケースと、誘電体と、放射板とで構成された内蔵アンテナに関し、誘電体と放射板と整合回路部を半田付けで一体化すると共に、その下部にスナックフックを設け、一方、シールドケース外面にこのスナックフックと係合する凹部を設けて両者を嵌合した内蔵アンテナ構造が開示されている。
【００１０】
また、この種の無線機はインピーダンスを５０オームで設計されているのが一般的で、アンテナ部と電子回路基板との双方を５０オームのインピーダンスで設計し組み立ての際にインピーダンス整合を取っている。つまり、アンテナ部を５０オームのインピーダンスで製造したにも拘わらず、実測値はたとえば４５オーム等、多少の誤差が生じており、この誤差を吸収するものとして整合回路部を電子回路基板内に設けてインピーダンス整合を取っているのである。仮に整合を取らなければアンテナ性能が著しく下がってしまう。
【００１１】
このように、この種の無線機はインピーダンス整合を取ることは極めて重要なことで、旧来は、上記したように電子回路基板内に設けているのが一般的であるが、上記した特開平９−８５２６号公報に開示された「携帯電話機の内蔵アンテナ構造及び製造方法」に、誘電体と放射板と整合回路部を半田付けで一体化したものが開示されており、極めて好適なものといえる。
【００１２】
【発明が解決しようとする課題】
しかしながら、前者の特開２００１−１５６５１３号公報に開示された「チップ状アンテナ取付構造」は、チップ状アンテナを嵌合させた箱体を高周波回路基板に螺合する構成のため、通常のボルト止めだけでは自然と緩む可能性がある。しかも携帯電話機にこれを適用した場合、上記したように、その手軽さゆえに乱雑に扱われる場合ありボルトの緩みを助長させる。そこで、その防止策として考えられるのが、ゆるみ止め手段を設けることであり、例えば、ばね座金やねじ用接着剤などを介在させることが挙げられるが、その分、組み立てに手間がかかることは否めない。
また、上記したばね座金を採用した場合、携帯電話機を乱暴に扱ったり、誤って落としてしまうことで、ばね性がへたってしまい長期に亘っての使用には向かない。
【００１３】
また、後者の特開平９−８５２６号公報に開示された「携帯電話機の内蔵アンテナ構造及び製造方法」は、電子回路が内装されアンテナの地盤としても機能するシールドケースの外面に、誘電体と放射板と整合回路部とを半田付けで一体化したものを係合させる構成で、しかも別途外部アンテナを設け、受信状態に応じて変更する携帯電話機であることは公報全体を通して明らかであり、その構造上、携帯電話機の厚みが増したり、送受信の両帯域を確保するアンテナ部の厚みが増す構成であり、昨今の小型化・軽量化には適さないものと思われる。
【００１４】
そこで本発明は、従来のホイップ型アンテナのエレメントを活用してアンテナモジュールに爪を付加した構成にすることにより、従来のアンテナエレメントの材料を使用でき、電子回路基板からアンテナ部の剥離・脱落を防止すると共に組み立てを容易にし、また、要求仕様によりアンテナエレメントを交換するだけで、アンテナ特性を必要な特性に調整すること可能となり、アンテナ部の部品交換をも容易にしたアンテナ内蔵型の携帯電話機、アンテナ装置及びこれを用いた移動通信端末を提供することを目的とする。
【００１５】
【課題を解決するための手段】
上記課題を解決するために、本発明における携帯電話機やアンテナ装置及びこれを用いた移動通信端末は、下記の技術的手段を講じた。
本体内に内装され電話機能や電子メール機能等を実現する電子回路基板と、モジュール化され本体内で電波を送受信するアンテナ部とが、着脱可能な嵌着手段を介して接続され、前記した嵌着手段は、アンテナ部に一体的に設けられた略コ字状を呈した爪部と、前記電子回路基板縁部に凹設され該爪部と係合する被掛止部とを備えてなり、前記したアンテナ部は、アンテナ素子と、前記アンテナ素子に接続されてインピーダンス整合をとる整合回路が実装された基板である整合回路部と、前記電子回路基板上に設置され、前記整合回路部が取り付けられるとともに前記アンテナ素子が表面に固定されたベース部と、前記ベース部に取り付けられた前記整合回路部と前記電子回路基板上に設けられた給電部とを電気的に接続する接続手段とを備えている（請求項１）。
又は、通信機能を実現する電子回路基板と、電波を送受信するためのモジュール化されたアンテナ部とが、着脱可能な嵌着手段を介して接続され、前記した嵌着手段は、アンテナ部に一体的に設けられた略コ字状を呈した爪部と、前記電子回路基板縁部に凹設され該爪部と係合する被掛止部とを備えてなり、前記したアンテナ部は、アンテナ素子と、前記アンテナ素子に接続されてインピーダンス整合をとる整合回路が実装された基板である整合回路部と、前記電子回路基板上に設置され、前記整合回路部が取り付けられるとともに前記アンテナ素子が表面に固定されたベース部と、前記ベース部に取り付けられた前記整合回路部と前記電子回路基板上に設けられた給電部とを電気的に接続する接続手段とを備えている（請求項１１）。
【００１６】
前記したベース部は、前記爪部が設けられ前記電子回路基板上に設置される設置面と該設置面縁部から立設され筒体が延出された立上げ面と該立上げ面頂部から突設された天井面とで側面視略クランク状に一体成形されており、前記アンテナ素子は、前記筒体外周面に巻回されていることが好ましい。（請求項２又は１２）。
【００１７】
前記した立上げ面からは、複数の前記筒体が延出しており、夫々の筒体外周面に異なる送受信帯に適した所定長さで前記アンテナ素子が巻回されており、前記整合回路部は、夫々のアンテナ素子と接続されていることが好ましい（請求項３又は１３）。
【００１８】
前記した接続手段は、凸字状を呈した棒状の接触子と、該接触子の大径部をスライド可能に案内すると共に該大径部を弾発付勢させる圧縮ばねが内装された筒部とで、該接触子小径部を該筒部から出没可能に構成したプローブであり、前記電子回路基板と前記アンテナ部との接続と同時に該接触子が前記給電部に圧接接合されるように構成されていることが好ましい（請求項４又は１４）。
【００１９】
あるいは、前記ベース部は、前記電子回路基板上に設置され該整合回路部を挿脱可能にする係合部と前記爪部とが設けられると共に帯板状に形成された前記アンテナ素子の表面が露出するように該アンテナ素子が埋設されていることが好ましい。（請求項５又は１５）。
【００２０】
前記した係合部は、該整合回路部の両端部を案内し該両端部下面を支持する底面部を設けた溝部を前記ベース部側面に設けて該溝部間に前記整合回路部の素子側側面中途部が露出するように形成され、前記アンテナ素子は、該ベース部上面と該溝部間側面とに亘って表面が露出するように埋設されると共に該整合回路部下部を挟持し該整合回路部との接続が行われる挟持部を該溝部間下部に位置するように突出形成されてなることが好ましい（請求項６又は１６）。
【００２１】
前記したアンテナ素子は、該ベース部上面と該溝部間側面とに亘って表面が露出するように複数のアンテナ素子が異なる送受信帯に適した所定長さで埋設されると共に、前記整合回路部は、夫々のアンテナ素子と接続されていることが好ましい（請求項７又は１７）。
【００２２】
前記した接続手段は、前記整合回路部に設けられたコネクタと前記電子回路基板に設けられ前記給電部を構成するコネクタとを接続する同軸ケーブルであることが好ましい（請求項８又は１８）。
または、前記した接続手段は、凸字状を呈した棒状の接触子と、該接触子の大径部をスライド可能に案内すると共に該大径部を弾発付勢させる圧縮ばねが内装された筒部とで、該接触子小径部を該筒部から出没可能に構成されたプローブであり、当該プローブは、前記ベース部下面から垂設され、前記電子回路基板と前記アンテナ部との接続と同時に該接触子が前記給電部に圧接接合されるように構成されていることが好ましい（請求項９又は１９）。
【００２３】
さらに、前記したベース部と前記したアンテナ素子とがインサート成形で形成されていることが良い（請求項１０又は２０）。
【００２４】
また、本発明による移動通信端末は、請求項１１から２０のいずれかに記載のアンテナ装置を筐体内部に備えて構成される（請求項２１）。
【００２５】
【発明の実施の形態】
次に本発明にかかる携帯電話機の実施形態を図面に基づいて説明する。図１は本実施形態における携帯電話機の概略を例示しており、図２及び図３は実施形態１を、図４は接続手段として適用されるプローブの構造例を、図５及び図６は実施形態２を、図７及び図８は実施形態３を夫々例示している。まず、本実施形態の携帯電話機の概略を図１を参照しながら説明する。
【００２６】
本実施形態の携帯電話機は、各種情報が表示される液晶表示部ａ２と受話機部ａ３が設けられた上側端末本体ａ１と、嵌着手段を介してアンテナ部が接続された電子回路基板を内装し操作釦ａ４と送話機部ａ５とが配設された下側端末本体ａ６とが、ヒンジ部ａ７を介して開閉可能に接続された折畳型携帯電話機である。また破線で図示されているように、アンテナ部は下側端末本体ａ５の下部に位置するように設けられている。
【００２７】
以下、本発明の要部であるアンテナ部廻りについて詳細に説明する。
（実施形態１）
実施形態１におけるアンテナ部廻りは、図２及び図３に示したように、電子回路基板ｂ１１と、アンテナ部１とを備えてなる。
電子回路基板ｂ１１は、電話機能や電子メール機能、インターネット機能などを実現するための所要の電子回路が実装された基板でその無線に関する回路部のインピーダンスは５０オームで設計されている。そして、下側端末本体ａ５基部側に位置させる基板短手方向両端部に、略コ字状の形成された被掛止部ｂ１２が所定間隔をおいて２つ凹設（左右計４個）されると共に、基板上の所定位置に電子回路と接続された給電部（ランド）ｂ１３が配設されている。
【００２８】
アンテナ部１は、ベース部１１と、整合回路部１２と、接続手段１３とを備えてなる。
ベース部１１は、電子回路基板ｂ１１上に設置される設置面１１ａとその設置面１１ａ縁部から立設され２つの筒体１１ｂが延出された立上げ面１１ｃと該立上げ面１１ｃ頂部から突設された天井面１１ｄとで側面視略クランク状に合成樹脂部材で一体成形されており、その設置面１１ａ下部４隅近傍に、案内傾斜面１１ｆが設けられ被掛止部ｂ１２と着脱可能に係合する略コ字状を呈した爪部１１ｅが突出形成されている。なお、このベース部１１の設置面１１ａに設けられた爪部１１ｅと、電子回路基板ｂ１１に凹設された被掛止部ｂ１２とで嵌着手段が構成される。
【００２９】
整合回路部１２は、２つの筒体１１ｂ夫々の外周面に、異なる送受信帯に適した所定長さで巻回されたアンテナ素子１４１、１４２との整合を取る（アンテナ素子１４１、１４２のインピーダンスの誤差を吸収して無線部のインピーダンス値である５０オームと整合させる）ための所定の回路が基板に形成され、ベース部１１の天井面１１ｄに固着されている。また、この整合回路部１２には、この２つのアンテナ素子１４１、１４２の夫々の一端部が接続されている。
なお、アンテナ素子１４１及びアンテナ素子１４２のいずれか一方をデュアルアンテナ素子とすることによって、アンテナ素子１４１及び１４２を併せてマルチバンドアンテナ構成とすることが可能になる。
【００３０】
接続手段１３は、天井面１１ｄ下面から垂設され上記した整合回路部１２と電子回路基板ｂ１１上に設けられた給電部ｂ１３とを電気的接続する導電性を有したプローブ１３１からなる。
図４に示すように、プローブ１３１は、凸字状を呈した棒状の接触子１３２と、その接触子１３２の大径部をスライド可能に案内すると共に大径部を弾発付勢させる圧縮ばね１３３が内装された筒部（保護チューブ）１３４とで接触子１３２小径部が保護チューブ１３４下端部から出没可能に構成される。そして、この保護チューブ１３４基部が整合回路部１２に嵌合されて天井面１１ｄ下面から垂設されると共に接触子１３２が給電部ｂ１３に圧接接合されている。
【００３１】
以上のように構成された実施形態１の携帯電話機は、図３に示したように、アンテナ機能を有したアンテナ部１をモジュール化した構成となる。そして、この被掛止部ｂ１２の底部に爪部１１ｅ下部の案内傾斜面１１ｆを位置させてからこのモジュール化されたアンテナ部１を押圧することで、漸次爪部１１ｅが外側に向かって弾性変形し、さらに押し込むことで爪部１１ｅ凹部と被掛止部ｂ２凹部とが嵌合すると同時に、対向する爪部１１ｅ同士で電子回路基板ｂ１１を若干挟持する状態を維持させる程度の弾性変形を残して、アンテナ部１が電子回路基板ｂ１１に嵌着する。
【００３２】
これと同時に、天井面１１ｄ下面から垂設されたプローブ１３１先部から突出した接触子１３２は、電子回路基板ｂ１１上に設けられた給電部ｂ１３に当接し押し込み動作に応動して漸次保護チューブ１３４内に没していき、アンテナ部１が電子回路基板ｂ１１に嵌着した時点で保護チューブ１３４下面が給電部ｂ３に当接して電気的な接続が完了する。
なお、何らかの原因で保護チューブ１３４下面が給電部ｂ１３から離間するような場合が生じても接触子１３２は圧縮ばね１３３で常に付勢されていることから電気的な接続は保証される。換言すると、整合回路部１２と給電部ｂ１３とは、接触子１３２と給電部ｂ１３とが接触することによって電気的に接続されており、圧縮ばね１３３の弾性力によって接触子１３２が給電部ｂ１３の側に付勢されているため、整合回路部１２と給電部ｂ１３とが電気的に離間することはない。
【００３３】
（実施形態２）
実施形態２におけるアンテナ部廻りは、図５及び図６に示したように、電子回路基板２１と、アンテナ部２とを備えてなる。
電子回路基板２１は、実施形態１と同様に、電話機能や電子メール機能、インターネット機能などを実現するための所要の電子回路が実装された基板でその無線に関する回路部のインピーダンスは５０オームで設計されている。そして、下側端末本体基部側に位置させる基板短手方向両端部に、略コ字状の形成された被掛止部ｂ２２が所定間隔をおいて２つ凹設（左右計４個）されると共に、基板ｂ２１上の所定位置に電子回路と接続された給電用の雌コネクタｂ２３が配設されている。
【００３４】
アンテナ部２は、ベース部２１と、整合回路部２２と、接続手段２３とを備えてなる。
ベース部２１は、案内傾斜面２１ｂが設けられ被掛止部ｂ２２と着脱可能に係合する略コ字状を呈した爪部２１ａが４隅下部に突出形成された略直方体状を呈し、その長手方向側面部には、後述する整合回路部２２の両端部を案内し該両端部下面を支持する底面部２１ｄを設けた溝部２１ｃが形成され、その溝部２１ｃ間に整合回路部２２の素子側側面中途部が露出するように形成された係合部２１ｅが設けられている。
【００３５】
また、このベース部２１には、２つの帯板状のアンテナ素子２４１、２４２が、ベース部２１上面と溝部２１ｃ間側面とに亘って、表面が露出するように異なる送受信帯に適した所定長さで埋設されると共に溝部２１ｃ側のアンテナ素子２４１、２４２端部は、整合回路部２２下部を挟持可能に折り曲げ形成された挟持部２４３が設けられている。このベース部２１は合成樹脂部材からなり、インサート成形によってアンテナ素子２４１、２４２と一体成形されている。なお、ベース部２１に形成された溝部２１ｃの幅と溝部２１ｃ間距離は、整合回路部２２を挟持する所要の寸法で形成されている。
なお、アンテナ素子２４１及びアンテナ素子２４２のいずれかをデュアルアンテナ素子とすることによって、アンテナ素子４２１及び４２２を併せてマルチバンドアンテナ構成とすることが可能となる。
【００３６】
整合回路部２２は、アンテナ素子２４１、２４２との整合を取る（アンテナ素子２４１、２４２のインピーダンスの誤差を吸収して無線部のインピーダンス、５０オームと整合させる）ための所定の回路が形成され、その中間部には該回路と接続され挟持部２４３と電気的接続が行われる当接部（ランド）２２ａを設けた略直方体状の回路基板で、ベース部２１の溝部２１ｃに両端部が挟持されると共に、アンテナ素子２４１、２４２の挟持部２４３が当接部２２ａを圧接してアンテナ素子２４１、２４２と整合回路部２２とが電気的に接続されている。
【００３７】
なお、この当接部は、若干凹設させて挟持部２４３を掛止めさせたほうが、挟持部２４３を介して整合回路部２２がベース部２１に強固に機械的、電気的に係合するので好ましいものである。
接続手段２３は、雄コネクタ２３２を両端に設けた同軸ケーブル２３１で、整合回路部２２に設けられた雌コネクタ２２ｂと電子回路基板ｂ２１上に設けられた雌コネクタｂ２３とに雄コネクタ２３２が接続されて、整合回路部２２と電子回路基板ｂ２１とを電気的に接続している。
【００３８】
以上のように構成された実施形態２の携帯電話機は、図６に示したように、アンテナ機能を有したアンテナ部２をモジュール化した構成となる。そして、アンテナ素子２４１、２４２が埋設され整合回路部２２を保持したアンテナ部２を実施形態１と同様に、被掛止部ｂ２２の底部に爪部２１ａ下部の案内傾斜面２１ｂを位置させてからアンテナ部２を押圧することで、漸次爪部２１ａが外側に向かって弾性変形し、さらに押し込むことで爪部２１ａ凹部と被掛止部ｂ２２凹部とが嵌合すると同時に、対向する爪部２１ａ同士で電子回路基板ｂ２１を若干挟持する状態を維持させる程度の弾性変形を残して、アンテナ部２が電子回路基板ｂ２１に嵌着する。
【００３９】
そして、同軸ケーブル２３１を整合回路部２２と電子回路基板ｂ２１上に設けられた雌コネクタ２２ｂ、ｂ２３に接続することで整合回路部２２と電子回路基板ｂ２１とが電気的に接続される。
なお、電子回路基板ｂ２１上にベース部２１のみを取り付けた後に、整合回路部２２をベース部２１に取り付けても良い。
【００４０】
（実施形態３）
実施形態３におけるアンテナ部廻りは、図７及び図８に示したように、電子回路基板３１と、アンテナ部３とを備えてなる。
電子回路基板３１は、実施形態１、２と同様に、電話機能や電子メール機能、インターネット機能などを実現するための所要の電子回路が実装された基板でその無線に関する回路部のインピーダンスは５０オームで設計されている。そして、下側端末本体基部側に位置させる基板短手方向両端部に、略コ字状の形成された被掛止部ｂ３２が所定間隔をおいて２つ凹設（左右計４個）されると共に、基板ｂ３１上の所定位置に電子回路と接続された給電部（ランド）ｂ３３が配設されている。
【００４１】
アンテナ部３は、ベース部３１と、整合回路部３２と、接続手段３３とを備えてなる。
ベース部３１は、案内傾斜面３１ｂが設けられ被掛止部ｂ３２と着脱可能に係合する略コ字状を呈した爪部３１ａが４隅下部に突出形成された略直方体状を呈し、その長手方向側面部には、後述する整合回路部３２の両端部を案内し該両端部下面を支持する底面部３１ｄを設けた溝部３１ｃが形成され、その溝部３１ｃ間に整合回路部３２の素子側側面中途部が露出するように形成された係合部３１ｅが設けられている。
【００４２】
また、このベース部３１には、２つの帯板状のアンテナ素子３４１、３４２が、ベース部３１上面と溝部３１ｃ間側面とに亘って、表面が露出するように異なる送受信帯に適した所定長さで埋設されると共に溝部３１ｃ側のアンテナ素子３４１、３４２端部は、整合回路部３２下部を挟持可能に折り曲げ形成された挟持部３４３が設けられている。このベース部３１は合成樹脂部材からなり、インサート成形によってアンテナ素子３４１、３４２と一体成形されている。なお、ベース部３１に形成された溝部３１ｃの幅と溝部３１ｃ間距離とは、整合回路部３２を挟持する所要の寸法で形成されている。
なお、アンテナ素子３４１及びアンテナ素子３４２のいずれかをデュアルアンテナ素子とすることによって、アンテナ素子３４１及び３４２を併せてマルチバンドアンテナ構成とすることが可能となる。
【００４３】
整合回路部３２は、アンテナ素子３４１、３４２との整合を取る（アンテナ素子３４１、３４２のインピーダンスの誤差を吸収して無線部のインピーダンス、５０オームと整合させる）ための所定の回路が形成され、その中間部には該回路と接続され挟持部３４３と電気的接続が行われる当接部（ランド）３２ａを設けた略直方体状の回路基板で、ベース部３１の溝部３１ｃに両端部が挟持されると共に、アンテナ素子３４１、３４２の挟持部３４３が当接部３２ａを圧接してアンテナ素子３４１、３４２と整合回路部３２とが電気的に接続されている。
なお、この当接部は、若干凹設させて挟持部３４３を掛止めさせたほうが、挟持部３４３を介して整合回路部３２がベース部３１に強固に機械的、電気的に係合するので好ましいものである。
【００４４】
接続手段３３は、ベース部３１下面から垂設された導電性を有したプローブ３３１からなっており、これによって、ベース部３１に配置された電子デバイス（アンテナ素子３４１、３４２など）と電子回路基板ｂ３１上に設けられた給電部ｂ３３とが電気的に接続されている。
プローブ３３１は、図３に示した実施形態１のプローブ１３１と同様であり、凸字状を呈した棒状の接触子３３２と、その接触子３３２の大径部をスライド可能に案内すると共に大径部を弾発付勢させる圧縮ばね３３３が内装された筒部（保護チューブ）３３４とで接触子３３２小径部が保護チューブ３３４下端部から出没可能に構成される。そして、この保護チューブ３３４基部がベース部３１に嵌合されてベース部３１下面から垂設されると共に接触子３３２が給電部ｂ３３に圧接接合されている。
【００４５】
以上のように構成された実施形態３の携帯電話機は、図８に示したように、アンテナ機能を有したアンテナ部３をモジュール化した構成となる。そして、アンテナ素子３４１、３４２が埋設され整合回路部３２を保持したアンテナ部３を実施形態１と同様に、被掛止部ｂ３２の底部に爪部３１ａ下部の案内傾斜面３１ｂを位置させてからアンテナ部３を押圧することで、漸次爪部３１ａが外側に向かって弾性変形し、さらに押し込むことで爪部３１ａ凹部と被掛止部ｂ３２凹部とが嵌合すると同時に、対向する爪部３１ａ同士で電子回路基板ｂ３１を若干挟持する状態を維持させる程度の弾性変形を残して、アンテナ部３が電子回路基板ｂ３１に嵌着する。
【００４６】
これと同時に、ベース部３１の電子回路基板ｂ３１と対向する面から垂設されたプローブ３３１先部から突出した接触子３３２は、電子回路基板ｂ３１上に設けられた給電部ｂ３３に当接し押し込み動作に応動して漸次保護チューブ３３４内に没していき、アンテナ部３が電子回路基板ｂ３１に嵌着した時点で保護チューブ３３４下面が給電部ｂ３３に当接して電気的な接続が完了する。
なお、何らかの原因で保護チューブ３３４下面が給電部ｂ３３から離間するような場合が生じても接触子３３２は圧縮ばね３３３で常に付勢されていることから電気的な接続は保証される。換言すると、ベース部３１と給電部ｂ３３とは、接触子３３２と給電部ｂ３３とが接触することによって電気的に接続されており、圧縮ばね３３３の弾性力によって接触子３３２が給電部ｂ３３の側に付勢されているため、整合回路部３２と給電部ｂ３３とが電気的に離間することはない。
【００４７】
以上、本実施形態における携帯電話機は、マルチバンド対応（異なる送受信帯に適した所定長さの２つのアンテナ素子を有している）のアンテナ部をモジュール化して、電子回路基板上にワンタッチでしかも強固に実装可能にして、落下事故等の外部影響により内蔵されたアンテナ部が電子回路基板から外れることなく、給電部でのインピーダンス不整合、未接続発生を防止することができる。
【００４８】
また、アンテナ部を実装するとき、従来のような半田接続による製造工程がなくなり、アンテナ部に不具合がある場合、爪部を外側に向かって拡張することで爪部凹部と被掛止部凹部との嵌合状態が解かれてアンテナ部を電子回路基板上から容易に取り外すことが可能となり部品交換が容易にできる。したがって、不具合箇所の部品（モジュール）のみ変更することにより修理可能となり、製造工程・保守作業時において、部品コスト、製造コストの削減が可能となる。
【００４９】
また、本実施形態では折畳型携帯電話機を例示しているが一体型の携帯電話機に適用することも当然のことながら可能である。
また、本実施形態のように携帯電話機の下端部内にアンテナ部を設けることで、安定したアンテナ性能を得ることができる。すなわち、携帯電話使用時、特に電話機能を使用している場合は、電話機上部はヒトの耳部に押し付けれ、中央部は把持されているため、中央部や上部にアンテナ部を設けた場合は、それがアンテナ性能を下げる可能性があり、電話機外面に自由空間がある程度確保された電話機下端部はアンテナ部を内装する部位として極めて好適である。
【００５０】
本実施形態のように折畳型携帯電話機においては、携帯電話機の使用が終了したら、通常、開き状態から閉じ状態に折り畳んで、バックやカバン、上着あるいはズボンのポケットに収納していることが多い。
この折り畳みは、液晶画面、操作釦を顔側あるいは上方に向けた状態で閉じることがほとんどであり（携帯電話の背面を顔あるいは上方に向けて閉じている人は皆無と思われる）、特に後者の上着やズボンのポケットに収納する際の動作を観察すると、ヒンジ部側の方が重いせいかヒンジ部を下側にしてポケットにしまっている人がほとんどである。
してみれば、本実施形態のように下側端末本体下端部にアンテナ部を内装することで、ポケット内でアンテナ部が上位に位置することが極めて多くなり、良好な受信状態で収納されている確率が高くなるというメリットがある。
【００５１】
なお、上記実施形態は、本発明の好適な実施の一例であり、本発明はこれに限定されるものではない。
例えば、上記上記実施形態は携帯電話機を例に説明を行ったが、本発明はこれに限定されるものではない。換言すると、本発明によるアンテナ装置は、携帯電話機以外の移動通信端末（例えば、ＰＨＳ端末やトランシーバ）に適用してもよい。
また、本発明は、図面に示した形状や構造に限定されるものではない。例えば、上記実施形態１〜３においては、アンテナ部が接続手段を一つ備える場合を示したが、アンテナ部が接続手段を複数備えていても良い。また、プローブなどの形状や構成も図面に限定されるものではなく、主旨を逸脱しない範囲で変形することが可能である。
このように、本発明は様々な変形が可能である。
【００５２】
【発明の効果】
本発明は以上のように構成したから、下記の有利な効果を奏する。
請求項１又は１１によれば、電子回路基板に直付けタイプのアンテナ部をモジュール化し、着脱可能な嵌着手段を介して接続したから、電子回路基板上に強固に実装可能にして、落下事故等の外部影響により内蔵されたアンテナ部が電子回路基板から外れることなく長期に亘って保持状態を維持することができる。また、半田付け工程をなくして組み立て工程を簡素化すると共に、アンテナ部を電子回路基板上から容易に取り外すことが可能となり部品交換が容易にできる。このアンテナ部は電子回路基板に直付けタイプに限定したことで、シールドケース外面に取着するタイプのアンテナ部構造をもった携帯電話機やアンテナ装置よりも小型化に貢献することができる。
また、嵌着手段をアンテナ部に一体的に設けられた略コ字状を呈した爪部と、電子回路基板縁部に凹設され該爪部と係合する被掛止部とを備えて構成したことから、電子回路基板にボルトを介しての接合よりも、スピーディにワンタッチでしかも強固にアンテナ部を取着することができ、しかも、アンテナ部を電子回路基板に取り付けるのに専用部品を必要としないことから、携帯電話機やアンテナ装置の製造コストを下げることができる。
【００５３】
請求項２又は１２によれば、アンテナ部を、筒体の外周面にアンテナ素子を巻回したベース部と、整合回路部と、電子回路基板との電気的接続を行う接続手段とを備えてモジュール化したことにより、電子回路基板とのインピーダンス整合を予めアンテナ部単体で行うことができ、組み付けてから整合を取る方法よりも製造効率が良い。また、筒体にアンテナ素子を巻回するタイプは、従来、予め巻回させたアンテナ素子を内周面に挿入させていたが、外周面に巻回させることで製造が簡単になり、しかも、アンテナ素子がバラけるといった心配がない。
【００５４】
請求項３、７、１３又は１７によれば、異なる送受信帯に適した所定長さのアンテナ素子を複数設けた構成にしたことから、マルチバンド対応となり、その地域、国などで指定された周波数帯域毎にアンテナ部を別途製作しなくてすみ、携帯電話機やアンテナ装置の製造コストを大幅に低減することができる。
【００５５】
請求項４、９、１４又は１９によれば、接続手段を接触子が出没可能なプローブにして、アンテナ部が電子回路基板に嵌着したと同時にプローブを構成する筒部下面が給電部に当接して電気的な接続が完了するから、極めて簡単にアンテナ部を電子回路基板に組み込むことができる。しかも、何らかの原因で筒部下面が給電部から離間するような場合が生じても接触子は圧縮ばねで常に付勢されていることから電気的な接続は保証され、極めて好適な内蔵アンテナを有した携帯電話機やアンテナ装置を提供することができる。
【００５６】
請求項５又は１５によれば、略直方体状を呈したベース部に表面が露出するように帯板状のアンテナ素子を埋設した構成にしたから、アンテナ部の厚みを薄くすることができ、したがって、携帯電話機の厚みを薄くすることができ、携帯電話機やアンテナ装置の小型化に貢献することができる。
【００５７】
請求項６又は１６によれば、整合回路部をベース部に形成された係合部に挟持させると同時にアンテナ素子と整合回路部とが電気的接続が行われるように構成したから、極めて簡単にアンテナ部を電子回路基板に組み込むことができる。しかも、整合回路部に不具合があった場合に簡単に部品交換することができる。
【００５８】
請求項８又は１８によれば、コネクタを両端部に設けた同軸ケーブルと、そのコネクタと係合するコネクタと、で接続手段を構成したから、接続部に不具合があった場合に簡単に部品交換することができる。
【００５９】
請求項１０又は２０によれば、ベース部とアンテナ素子とをインサート成形で形成したから、安定した品質のアンテナ部を製造することができ、極めて好適な内蔵アンテナを有した携帯電話機やアンテナ装置を提供できる。
【００６０】
請求項２１によれば、電子回路基板からアンテナ部の剥離・脱落を防止すると共に組み立てを容易にし、また、要求仕様によりアンテナエレメントを交換するだけで、アンテナ特性を必要な特性に調整すること可能となり、アンテナ部の部品交換をも容易にしたアンテナ内蔵型の移動通信端末を提供できる。
【図面の簡単な説明】
【図１】  本実施形態における携帯電話機の概要を例示した斜視図である。
【図２】  実施形態１における携帯電話機のアンテナ部廻りの斜視図である。
【図３】  同、分解斜視図である。
【図４】  接続手段として適用されるプローブの構造例を示す図である。
【図５】  実施形態２における携帯電話機のアンテナ部廻りの斜視図である。
【図６】  同、分解斜視図である。
【図７】  実施形態３における携帯電話機のアンテナ部廻りの斜視図である。
【図８】  同、分解斜視図である。
【符号の説明】
ｂ１１、ｂ２１、ｂ３１  電子回路基板
ｂ１３、ｂ３３  給電部
ｂ２３  雌コネクタ（給電部）
１、２、３  アンテナ部
１１ｅ、２１ａ、３１ａ  爪部
２１ｅ、３１ｅ  係合部
２１ｃ、３１ｃ  溝部
ｂ１２、ｂ２２、ｂ３２  被掛止部
１１、２１、３１  ベース部
１１ａ  設置面
１１ｂ  筒体
１１ｃ  立上げ面
１１ｄ  天井面
２２、３２  整合回路部
１４１、１４２、２４１、２４２、３４１、３４２  アンテナ素子
１３、２３、３３  接続手段
１３１、３３１  プローブ
１３２、３３２  接触子
１３３、３３３  圧縮ばね
１３４、３３４  筒部（保護チューブ）
【図１】
0003671935.tif 000002
【図２】
0003671935.tif 000003
【図３】
0003671935.tif 000004
【図４】
0003671935.tif 000005
【図５】
0003671935.tif 000006
【図６】
0003671935.tif 000007
【図７】
0003671935.tif 000008
【図８】
0003671935.tif 000009